(57)【要約】      （修正有）【課題】子供や年長者の見守り、事故や体調の変化への救護に利用できる靴用スマートモニター装置を提供する。【解決手段】靴用スマートモニター装置は、靴本体１を含み、靴本体１の外側面にスマート検出装置２が設置され、靴本体１の外側面に電源スイッチボタン３が固定的に取り付けられ、靴本体１内に充電プラグ４が設置されている。充電プラグ４と電池モジュールを設置することにより、スマホ充電器で電池を充電し、充電が不便な場合は新しいボタン電池に交換して、製品全体の使用に供することができる。スマート検出装置により、バイタルパラメータを検出して異常な変動が発生したか否かを見ることにより、使用者が危険又は事故に陥ったか否かを判断し、家族のモニターを可能にし、使用者の安全性を高めることに寄与し、旅に出る場合、または野外で探検する場合に適用され、老人や子供の介護にもより好適に使用され、敏感な温度センサを用いて、使用者の体温を検出する。【選択図】図１
0003230341.tif 000002
【実用新案登録請求の範囲】
【請求項１】
靴用スマートモニター装置であって、靴本体（１）を含み、前記靴本体（１）の外側面にスマート検出装置（２）が設置され、前記靴本体（１）の外側面に電源スイッチボタン（３）が固定的に取り付けられ、前記靴本体（１）内に充電プラグ（４）が設置されることを特徴とする靴用スマートモニター装置。
【請求項２】
前記スマート検出装置（２）は、電池モジュール（５）と、ＢＤモジュール（６）と、ＧＳＭモジュール（７）と、血圧心拍数検出モジュール（８）と、マイクロプロセッサ（９）とを含むことを特徴とする請求項１に記載の靴用スマートモニター装置。
【請求項３】
前記電池モジュール（５）は、ＢＤモジュール（６）、ＧＳＭモジュール（７）、血圧心拍検出モジュール（８）、及びマイクロプロセッサ（９）にそれぞれ電気的に接続されることを特徴とする請求項２に記載の靴用スマートモニター装置。
【請求項４】
前記ＢＤモジュール（６）とＧＳＭモジュール（７）及び血圧心拍数検出モジュール（８）は、マイクロプロセッサ（９）にそれぞれ電気的に接続されることを特徴とする請求項２に記載の靴用スマートモニター装置。
【考案の詳細な説明】
【技術分野】
【０００１】
本考案は、生活日用品分野に関し、特に、靴用スマートモニター装置に関する。
【背景技術】
【０００２】
靴とは、足に装着して足を保護し、歩きやすいための装着物であり、革、布、ゴム皮などの素材で作られる。靴は長い歴史を持ち、およそ５０００年以上前のヤンシャオ文化時代に、獣皮縫製の最も原始的な靴が登場し、人の足を怪我しないように保護する道具の１つであり、当初は人が特殊な状況を克服し、足に苦痛や怪我を与えないために、毛皮靴を考案し、様々なスタイルと機能のある靴が随所に見えるようになった。
【０００３】
現代社会のリズムはますます速くなり、社会人の生活圧力プレッシャーは高くなり、子供や年長者を見守ることは困難であり、事故が発生した場合、即時に救護することも困難であり、特に、旅行や探検を好む人は、町を離れ、身体が不快に迫る場合、よその人に助けを求めることは困難であり、そのため、靴用スマートモニター装置を提供する。
【考案の概要】
【考案が解決しようとする課題】
【０００４】
本考案は、背景技術における課題に対して、効果的に解決可能な靴用スマートモニター装置を提供することを主な目的とする。
【課題を解決するための手段】
【０００５】
上記の目的を達成するために、本考案に用いられる技術的解決手段は、以下のとおりである。
【０００６】
靴用スマートモニター装置であって、靴本体を含み、前記靴本体の外側面にスマート検出装置が設置され、前記靴本体の外側面に電源スイッチボタンが固定的に取り付けられ、前記靴本体内に充電プラグが設置される。
【０００７】
好ましくは、前記スマート検出装置は、電池モジュールと、ＢＤモジュールと、ＧＳＭモジュールと、血圧心拍数検出モジュールと、マイクロプロセッサとを含む。
【０００８】
好ましくは、前記電池モジュールは、ＢＤモジュール、ＧＳＭモジュール、血圧心拍検出モジュール、及びマイクロプロセッサにそれぞれ電気的に接続される。
【０００９】
好ましくは、前記ＢＤモジュールとＧＳＭモジュール及び血圧心拍数検出モジュールは、マイクロプロセッサにそれぞれ電気的に接続される。
【考案の効果】
【００１０】
本考案は、従来技術と比較して、以下の有益な効果を有する。
【００１１】
（１）  充電プラグと電池モジュールを設置することにより、充電できる場合はスマホの充電器で電池を充電し、充電が不便な場合は新しいボタン電池に交換して、製品全体の使用に供することができる。
【００１２】
（２）  スマート検出装置を設置することにより、そのバイタルパラメータを検出して異常な変動が発生しているか否かを見ることにより、使用者が危険又は事故に陥ったか否かを判断し、家族のモニターを便利にし、即時に処理を行うことができ、使用者の安全性を高めることに寄与する。
【００１３】
（３）  外出して旅に出る場合、または野外で探検する場合に適用され、老人や子供の介護にもより好適に使用される。
【図面の簡単な説明】
【００１４】
【図１】本考案に係る靴用スマートモニター装置の全体構成の概略図である。
【図２】本考案に係る靴用スマートモニター装置のスマート検出装置の構成概略図である。
【考案を実施するための形態】
【００１５】
本考案を実現する技術的解決手段、創作的特徴、達成目的及び効果を容易に理解できるようにするため、以下、具体的な実施形態を参照しながら、本考案をさらに説明する。
【００１６】
本考案の説明において、「上」、「下」、「内」、「外」、「前端」、「後端」、「両端」、「片端」、「他端」などの用語で示される位置又は位置関係は、図面に示される位置又は位置関係に基づいており、単に本考案の説明を容易にするため、及び説明を簡単にするためのものであり、言及される装置又は要素が特定の位置を有する必要があり、特定の位置で構成及び操作されなければならないことを指示又は示唆するものではなく、従って、本考案の限定として解釈されるべきではないことが理解されるべきである。さらに、「第１の」、「第２の」という用語は、説明の目的のためだけであり、相対的な重要性を示すか、または示唆するものとして理解されるべきではない。
【００１７】
本考案の説明において、別途で明白に規定・限定するものでない限り、「取り付け」、「設置」、「接続」などの用語は、広義的に理解されるべきであることを予め明記する必要がある。例えば、「接続」は、固定的な接続、着脱可能な接続、又は一体的な接続てもよいし、機械的接続でも電気的接続でもよく、直接的に接続されてもよいし、中間媒体を介して間接的に接続されてもよいし、２つの素子内部の連通であってもよい。本考案において、上記の用語の具体的な意味は、当業者であれば具体的に理解されることができる。
【００１８】
図１−２に示すように、靴用スマートモニター装置であって、靴本体１を含み、靴本体１の外側面にスマート検出装置２が設置され、靴本体１の外側面に電源スイッチボタン３が固定的に取り付けられ、靴本体１内に充電プラグ４が設置される。
【００１９】
スマート検出装置２は、電池モジュール５と、ＢＤモジュール６と、ＧＳＭモジュール７と、血圧心拍数検出モジュール８と、マイクロプロセッサ９とを含む。
【００２０】
電池モジュール５は、ＢＤモジュール６、ＧＳＭモジュール７、血圧心拍検出モジュール８、及びマイクロプロセッサ９にそれぞれ電気的に接続される。
【００２１】
ＢＤモジュール６とＧＳＭモジュール７及び血圧心拍数検出モジュール８は、マイクロプロセッサ９にそれぞれ電気的に接続される。
【００２２】
なお、本考案は、靴用スマートモニター装置であり、スマホの充電器で充電プラグ４を通じて電池モジュール５に充電を行うか、又は新しいボタン電池、ＢＤモジュール６を交換することができ、当該装置は、指定の遠隔スマホソフトウェアＡＰＰを通じて、当該装置のＧＳＭモジュール７に１つの命令メッセージを送信することができ、ＧＳＭモジュール７は、シリアル・インタフェースを介してマイクロプロセッサ９に伝送し、復号を行って指定使用者と指定命令であるか否かを確認し、指定使用者と指定命令であると確認した場合、マイクロプロセッサ９はＢＤモジュール６に指令を送信し、現在の位置情報を取得し、マイクロプロセッサ９により復号を行って現位置の緯度経度を取得し、続いてマイクロプロセッサ９は、対応する緯度経度情報をＧＳＭモジュール７を通じて指定の遠隔スマホＡＰＰに送信する。血圧心拍数のモニターにおいて、敏感な温度センサを用いて、おかれた環境温度の変化により電気抵抗が変化する原理に基づいて使用者の体温を検出する。本考案は、生体組織の血液の容積変化を光電的に検出する非侵襲的検出方法であるフォトプレチスモグラフィ（ＰＰＧ）を用いて使用者の心拍数及び血圧を検出する。特定波長の光が指の皮膚表面に照射されると、光は透過又は反射により受光器に伝送され、その間、指の皮膚の筋肉及び血液の吸収減衰作用を受けるため、血圧心拍数検出モジュール８が検出する光の強度は減少し、皮膚筋肉組織等による光の吸収は全血循環中で一定であり、皮膚内の血液容積は心臓の作用により拍動的に変化し、収縮期の末梢血容量が最も多く、光吸収量も最大で、最小の光強度が検出され、それに対して拡張期のときは最大の光強度が検出され、受光器で受光した光強度を拍動的に変化させ、この光強度変化信号を電気信号に変換することにより心拍数が得られ、最大光吸収量と最小光吸収量の差により、この期間の血流量に関する血圧データがさらに得られ、マイクロプロセッサ９で復号され、ＧＳＭモジュール７を介して指定の遠端スマホＡＰＰに送信される。スマホＡＰＰから遠隔的に使用者のバイタル（体温、心拍数、血圧）パラメータを能動的に検出し、そのバイタルパラメータを検出して異常な変動が生じたか否かを見ることにより、使用者が危険又は事故に陥っているか否かを判断することができる。
【００２３】
以上、本考案の基本原理及び主な特徴並びに本考案の利点が示され、説明される。当業者であれば、本考案が上記の実施例に制限されず、上記の実施例及び明細書に記載されたのは本考案の原理を説明するためのものに過ぎず、本考案の精神及び範囲を逸脱しない限り、本考案にさらに種々の変化及び改良があり、それらの変化及び改良はいずれも請求する本考案の保護範囲内にあることを理解すべきである。本考案の請求の保護範囲は、添付の特許請求の範囲及びその均等物によって定義される。
【符号の説明】
【００２４】
１、靴本体、２、スマート検出装置、３、電源スイッチボタン、４、充電プラグ、５、電池モジュール、６、ＢＤモジュール、７、ＧＳＭモジュール、８、血圧心拍数検出モジュール、９、マイクロプロセッサ。
【図１】
0003230341.tif 000003
【図２】
0003230341.tif 000004